(57)【特許請求の範囲】
【請求項１】
基礎３の外側面に基礎断熱パネル５を接着剤によって貼設し、該基礎断熱パネル５の設置作業時において、仮固定する水切り受金具６を、基礎３の側面に固設して、外側方向へ突設し、前記基礎断熱パネル５の上面は、基礎３の上面より低い位置とした段落ちの構造とし、前記水切り受金具６の上には、水切り８を嵌合保持する水切りジョイナー７を設置し、該水切りジョイナー７の上には水切り８を嵌合保持し、基礎断熱パネル５を構成する断熱材２０への水の浸入を防ぐことを特徴とする外断熱基礎の水切り構造。
【請求項２】
請求項１記載の外断熱基礎の水切り構造において、前記水切りジョイナー７の側に、嵌合凹部７０及び嵌合係止部７１を設け、前記水切り８の側に、上記嵌合凹部７０及び嵌合係止部７１に嵌合して固定する、嵌合凸部８０及び係止部８１を設けたことを特徴とする外断熱基礎の水切り構造。
【発明の詳細な説明】
【０００１】
【発明の属する技術分野】
本発明は、住宅の基礎の外側に取り付ける外断熱基礎構造に関する。
特に、断熱材への水の浸入を防ぐために、断熱材の上に構成される水切りに関する。
【０００２】
【従来の技術】
外断熱構造は、建物構造体外部に断熱材を連続して施工できることから、断熱ライン（気密ライン）に欠損が生じることがない。
このことから、外断熱構造は建物構造体内部の熱分布にムラが生じない気密性の高い断熱構造であるというのが特徴である。
以上の特徴より、冬場の暖房効率を大幅に向上することが出来るため、近年、特に寒冷地においては、該外断熱構造が多く採用されている。
【０００３】
該外断熱構造の一つとして建物基礎の外周部（建物外側）を断熱材で覆う外断熱基礎構造がある。一般的には、基礎の外周に断熱材を貼設し、該断熱材の上にモルタルを塗りこむものが一般的である。該断熱材の外周には、モルタル刷毛引等により、断熱材の耐候性の向上が図られている。
また、前記水切りは、雨水の断熱材への浸入による断熱材内のカビの発生や腐食を防いでいる。
【０００４】
【発明が解決しようとする課題】
従来のモルタル塗りにおいては、図１３に示すごとく、断熱材２１の上にモルタル９０を塗りこむ構成とし、モルタル９０は地面に対して水平に近い勾配を成しているため、その上面に雨水や雪９１が溜まることで土埃を吸着し、該モルタル９０の表面が汚れてしまっていた。
このことから、断熱材２１の上面は傾斜を有することが望まれる。
【０００５】
また、モルタル刷毛引では、時間が経つにつれ、風雨にさらされるため、表面の汚れの問題が生じていた。一度表面に汚れが染み込んでしまった際には、再度モルタルを塗りこむ等して汚れを覆い隠す等の作業を強いられてしまう。
また、時間の経過とともに、表面にクラックが生じ、この場合にも、再度のモルタル刷毛引により、補修をしなければならなかった。
【０００６】
また、施工作業においても、施工作業を容易にすること、及びその仕上がりを向上するための工夫が必要である。特に、モルタル刷毛引においては、クラックによる雨水の浸入を防止することができるように、慎重な作業が要求されるのである。
【０００７】
【課題を解決するための手段】
本発明の解決しようとする課題は以上のごとくであり、次に該課題を解決する為の手段を説明する。
請求項１においては、基礎３の外側面に基礎断熱パネル５を接着剤によって貼設し、該基礎断熱パネル５の設置作業時において、仮固定する水切り受金具６を、基礎３の側面に固設して、外側方向へ突設し、前記基礎断熱パネル５の上面は、基礎３の上面より低い位置とした段落ちの構造とし、前記水切り受金具６の上には、水切り８を嵌合保持する水切りジョイナー７を設置し、、該水切りジョイナー７の上には水切り８を嵌合保持し、基礎断熱パネル５を構成する断熱材２０への水の浸入を防ぐものである。
【０００８】
請求項２においては、請求項１記載の外断熱基礎の水切り構造において、前記水切りジョイナー７の側に、嵌合凹部７０及び嵌合係止部７１を設け、前記水切り８の側に、上記嵌合凹部７０及び嵌合係止部７１に嵌合して固定する、嵌合凸部８０及び係止部８１を設けたものである。
【０００９】
【発明の実施の形態】
次に、本発明の実施の形態を、図面に基づいて説明する。
図１は本発明の実施例の全体構成の斜視図、図２は同じく側面断面図、図３は基礎に基礎断熱パネルを取り付ける状態を表す斜視図、図４は水切り受金具の平面図、図５は同じく前面図、図６は水切りジョイナーの前面断面図、図７は同じく斜視図、図８は水切りの前面図、図９は同じく斜視図、図１０は水切りを水切りジョイナーに嵌合固定する状態を表す図、図１１は出隅において水切りを取り付ける状態を表す斜視図、図１２は同じく入隅において水切りを取り付ける状態を表す斜視図、図１３は従来の一般的なモルタル刷毛引きによるものを表す図である。
【００１０】
まず、本発明を適用した実施例の概要について説明する。
図１及び図２に示すごとく、地盤１に配した捨コンクリート２の上に、基礎３を設置し、該基礎３の上に外壁４が配されている。
そして、該基礎３の外側面（地盤１側）には、基礎断熱パネル５が接着剤によって貼設されている。該基礎断熱パネル５は、基礎３の側面に固設され外側に突設した水切り受金具６によって、設置作業において仮固定（位置決めとなる）され、該水切り受金具６の上には水切り８を嵌合保持する水切りジョイナー７が設置されている。
また、前記基礎断熱パネル５の上部には、水切りジョイナー７及び水切り８が構成される必要があるため、基礎断熱パネル５の上面は基礎３の上面より段落ちさせる構成（低い位置）としている。このように、段落ちさせることによって生じた基礎断熱パネル５の存在しない空間を断熱する部材として、基礎断熱パネル５の上端から外壁４の下部にかけて、基礎上断熱材１０が基礎３の側面に添わせるようにして貼設されている。
【００１１】
次に、本発明の詳細について説明する。
まず、水切り受金具６について説明する。
図４及び図５に示すごとく、該水切り受金具６は、前記基礎３に形成した凹部１１・１１・・・（図２に示す）に面で接する垂直部１２と、前記基礎断熱パネル５及び前記水切りジョイナー７との水平部１３とによって前面視「Ｌ」形としている。垂直部１２には、後述する埋め込みボルト３６・３６・・・に取り付けるための長孔３４・３４を配し、水切り受金具６を取り付ける際に微妙な高さ調整を可能にしている。
【００１２】
また、水平部１３には、前記水切りジョイナー７をビス固定するためのジョイナー取付孔１８・１８、及び断熱材２０（図１に示す）を仮固定するための釘孔１９・１９が適宜配されている。
さらに、基礎断熱パネル５の外側面に仮止する押さえ板１４が前記垂直部１２と対向する側にリベット３３で止められている。
【００１３】
以上のごとく構成した水切り受金具６を基礎３に取り付ける。
図３に示すごとく、基礎３の外側面（建物構造体に対して外側）には、一定間隔に水切り受金具６を取り付けるために、基礎３の造設時において成型された凹部１１・１１・・・を配しており、それぞれの凹部１１・１１・・・には埋め込みボルト３６・３６・・・がその螺子部を突設して配されている。
そして、該埋め込みボルト３６・３６・・・に対して水切り受金具６・６・・・を取り付ける。尚、該水切り受金具６・６・・・を取り付ける際には、基礎３に墨出し２７をして、該墨出し２７に水切り受金具６・６・・・の水平部１３（図５に示す）の上側の面が水平となるように取り付ける。
【００１４】
次に、基礎断熱パネル５について説明する。
該基礎断熱パネル５は、図１に示すごとく、断熱材２０の外側面に外装板１５を貼設して一体構成としたものであって、複数の基礎断熱パネル５を連続的に基礎３に配置することにより、基礎３の外周全体を取り囲むものである。該外装板１５は、地盤１の上面、即ち、断熱材２０が外気と触れる面を覆うことにより、断熱材２０の外気に対しての耐候性を高めるとともに、建物外観の美観を向上させている。
【００１５】
そして、図３に示すように、基礎断熱パネル５・５・・・を水切り受金具６・６・・・に対して下から当接するようにして、基礎３に貼設するのである。この際には、前記押さえ板１４（図５に示す）が基礎断熱パネル５を貼設する際のガイドとなるので、作業効率を上げることが出来る。
【００１６】
次に、水切りジョイナー７について説明する。
該水切りジョイナー７は、前記水切り受金具６の上に設置されるものである。図６及び図７に示すごとく、断面視において直角三角形の筒状部材であって、その斜面の右上部には嵌合凹部７０を、左下部には嵌合係止部７１を構成している。
【００１７】
また、該水切りジョイナー７の底面は、基礎断熱パネル５を仮固定するための釘２４（図２に示す）の頭部及び前記リベット３３（図２に示す）と当接しないように段付形状としている。同じくジョイナー７の底面には、水切り受金具６のジョイナー取付孔１８・１８・・・に対応する位置に、ジョイナー設置孔７４を配し、図２に示すごとく、ビス７２により、水切り受金具６に固定される。
さらに、水切りジョイナー７の斜面の端部には切欠き７５を構成し、ジョイナー設置孔７４から固定部材を固定操作する工具を挿入しやすくしている。
【００１８】
尚、該水切りジョイナー７の幅は、図７に示すごとく、横幅の異なる二種類の水切りジョイナー７及び出隅水切りジョイナー７３を用意する。該出隅水切りジョイナー７３は、出隅における水切り８の下面を広く支えることにより、水切り８の荷重を十分に支えることが出来るようにするために、その幅を広く構成している。 尚、該出隅水切りジョイナー７３に対応するため、水切り受金具６においても同様に、その幅を広く構成している（図３に示す水切り受金具６１）。
【００１９】
次に、水切り８について説明する。
図２に示すごとく、水切り８は前記水切りジョイナー７の上面に嵌合固定させて基礎断熱パネル５の上部を覆う板体であって、前記基礎断熱パネル５への上部からの雨水の浸入を防ぐものである。該水切り８の下面（裏面）には、水切りジョイナー７に対しての嵌合部が二箇所に構成されている。図８に示すごとく、水切り８の上端下部（裏面）には嵌合凸部８０を、下端下部（裏面）には係止部８１を構成している。こうして、図１０に示すごとく、前記水切りジョイナー７の嵌合凹部７０及び嵌合係止部７１に、嵌合凸部８０及び係止部８１を嵌合させて固定するのである。
このように、嵌合個所を二箇所としたことで、水切り８が片側支持でなく、両側で支持されるので、前記水切りジョイナー７によって強固に保持されるのである。
また、該水切り８は外装の一部を構成するため、その外側表面は電着塗装を施した美しい仕上げとし、施工後の外観の質感の向上に貢献している。
【００２０】
また、図９に示すごとく、該水切り８の下面には、隣接する水切りジョイナー７に対し位置決めとなる凸部（以下、位置決め凸部８２とする）を突設している。これは、該位置決め凸部８２を水切りジョイナー７の側端部に係止させることにより、水切り８の水切りジョイナー７に対しての横位置を決定するためのものである。
【００２１】
このようにして、該水切り８を取り付けた状態においては、隣接する水切り８・８の端部が近接するように構成している。尚、本実施例では、水切り８・８の熱伸びを考慮して、水切り８・８の隣接部には１ｍｍ程度の隙間を構成するようにしている。このように隙間を構成するように構成した場合においても、隣接部の下には水切りジョイナー７の傾斜面が存在するため、万が一、水切り８・８の隣接部から水が浸入した際にも、断熱材２０への水の浸入を防止できる。
【００２２】
さらに、水切りジョイナー７に対しての水切り８の固定は、嵌合固定であるため、取り外しが可能であり、長期間の使用により水切り８の外側表面の塗装が傷んだ場合や、物の衝突等で損傷した際にも、簡単に交換できるのである。
【００２３】
ところで、水切り８においては基礎３の外周及び形状（出隅や入隅等）に対応することが必要となる。
そこで、直線部においては、図３に示すごとく、直線形状の水切り８を配置することを基本とし、出隅においては、図１１に示すごとく、直角に折り曲げた出隅水切り８１を配置する。
尚、出隅においては、図１１に示すごとく、出隅水切り８１で構成するため、一般部と同じように、水切りジョイナー７に対して嵌合させる形態（図１０に示す）が不可能である。このため、出隅水切りジョイナー７３にスライドさせて嵌合させるように構成し、さらにステンレスビス８７・８７により、万が一出隅水切り８１が熱伸び（熱膨張）して出隅水切りジョイナー７３から外れることがないように、出隅水切りジョイナー７３に対して螺接する構成とした。
【００２４】
さらに、図１２に示すごとく、入隅においては、水切りジョイナー７と水切り８を一体型とした入隅水切り８３をあらかじめ構成し、入隅に配した水切り受金具６・６に載置して固設可能とした。
【００２５】
以上が、基礎３の形状に応じるための水切り８の構成であるが、これに限ることなく、それぞれの幅、形状等は設計時における基礎３に対応するように設計、製作すればよい。
また、上述した各構成部材は、設計に基づいて工場であらかじめ製作しておくので、施工時の現場加工が必要なく、施工者による施工ムラを極力抑えることが出来るので、美しい仕上がりが期待できるのである。
【００２６】
【発明の効果】
本発明は以上のごとく構成したので、次のような効果を奏するのである。すなわち、請求項１のごとく、基礎３の外側面に基礎断熱パネル５を接着剤によって貼設し、該基礎断熱パネル５の設置作業時において、仮固定する水切り受金具６を、基礎３の側面に固設して、外側方向へ突設し、前記基礎断熱パネル５の上面は、基礎３の上面より低い位置とした段落ちの構造とし、前記水切り受金具６の上には、水切り８を嵌合保持する水切りジョイナー７を設置し、、該水切りジョイナー７の上には水切り８を嵌合保持し、基礎断熱パネル５を構成する断熱材２０への水の浸入を防ぐものであるので、水切り８のみを施工後において交換することが可能なるのである。
さらに、施工後の外観は、水切り８と基礎断熱パネル５によって、美しく、重厚な外観を演出することが出来る。
従来のモルタル塗りは簡易的であったため、質感に乏しいものであったが、本発明においては、水切り８を外装の一部として機能させることにより、基礎外観の質感を高めることに貢献させている。
さらに、構成が簡単で安価に製作でき、着脱も容易にできて交換も簡単に行える。
また、基礎３と基礎断熱パネル５とが段落ち構造であるので、水切りジョイナー７と水切り８に傾斜面が構成できるので、近接する水切り８・８の端部の下には、水切りジョイナー７の傾斜面が存在するため、万が一、水切り８・８の隣接部から水が浸入した際にも、断熱材２０への水の浸入を防止できる。
また、雨水や雪が溜まることがないので、水切り８の連接部（目地）においても水が浸入しずらくなり、万が一、連接部に水が浸入した場合でも、その下には水切りジョイナー７の傾斜面が存在するため、断熱材２０への水の浸入を防ぐことが出来るのである。
そして、該水切り８により、雨水が基礎断熱パネル５に降りかかりづらくなるのでので、基礎断熱パネル５の表面（外装板１５）の汚れを防止することができるのである。
【００２７】
また、請求項２に記載のごとく、前記水切りの下面には、水切りジョイナーの端面に対して位置決めとなる凸部と嵌合部が構成されているので、水切り８を取り付ける際の位置の決定が容易に行える。
さらに、水切り８は水切りジョイナー７に対し、二箇所で強固に嵌合される（両側支持される）ので、外気の気温の変化等によって、時間の経過とともに変形してしまうこともない。
【図面の簡単な説明】
【図１】  本発明の実施例の全体構成の斜視図である。
【図２】  同じく側面断面図である。
【図３】  基礎に基礎断熱パネルを取り付ける状態を表す斜視図である。
【図４】  水切り受金具の平面図である。
【図５】  同じく前面図である。
【図６】  水切りジョイナーの前面断面図である。
【図７】  同じく斜視図である。
【図８】  水切りの前面図である。
【図９】  同じく斜視図である。
【図１０】  水切りを水切りジョイナーに嵌合固定する状態を表す図である。
【図１１】  出隅において水切りを取り付ける状態を表す斜視図である。
【図１２】  同じく入隅において水切りを取り付ける状態を表す斜視図である。
【図１３】  従来の一般的なモルタル刷毛引きによるものを表す図である。
【符号の説明】
１  地盤
２  捨コンクリート
３  基礎
４  外壁
５  基礎断熱パネル
６  水切り受金具
７  水切りジョイナー
８  水切り
１０  基礎上断熱材
１５  外装板
２０  断熱材
【図１】
0003795742.tif 000002
【図２】
0003795742.tif 000003
【図３】
0003795742.tif 000004
【図４】
0003795742.tif 000005
【図５】
0003795742.tif 000006
【図６】
0003795742.tif 000007
【図７】
0003795742.tif 000008
【図８】
0003795742.tif 000009
【図９】
0003795742.tif 000010
【図１０】
0003795742.tif 000011
【図１１】
0003795742.tif 000012
【図１２】
0003795742.tif 000013
【図１３】
0003795742.tif 000014